(57)【要約】【課題】前面投射型表示装置と反射型スクリーンの組み合わせからなる表示システムにおいて、外光の影響を抑えて表示画像のコントラストの改善を図る。【解決手段】フロントプロジェクタ５からの投射光が投射される反射型スクリーン４は、表面部に形成される反射防止膜と最背面の拡散反射板との間に、偏光方向が特定の一軸方向である光のみを反射し、この一軸方向の他の方向の偏光成分を吸収する特性の「Ｅ型偏光板」等からなる吸収層と、拡散度が小さい拡散層とを有し、この拡散層と拡散反射板との間に所定の厚さの透明層を有している。フロントプロジェクタ５からの画像投射光５ａは、反射型スクリーン４で反射される方向の直線偏光状態とする。反射型スクリーン４では、フロントプロジェクタ５からの投射光と同じ偏光方向の直線偏光状態の光が反射され、投射光が優先的に反射されることで外光の影響が抑えられ、表示画像のコントラストが向上する。【選択図】  図２０
2004287377.tif 000002
【特許請求の範囲】
【請求項１】
前面投射型表示装置から投射される投射光を反射することで画像表示を行う反射型スクリーンであって、
投射光が入射する最表面に設けられた表面層と、最背面に設けられ光を反射する反射層と、該表面層と反射層との間に設けられた所定の厚さの透明層及び特定の偏光状態の光を吸収する吸収層とを有することを特徴とする反射型スクリーン。
【請求項２】
上記吸収層は、偏光方向が特定の一軸方向の光束のみを透過させ、この一軸方向の他の方向の偏光成分を吸収する
ことを特徴とする請求項１記載の反射型スクリーン。
【請求項３】
上記吸収層は、特定方向の円偏光の光束のみを透過させ、他の偏光状態の光を吸収する
ことを特徴とする請求項１記載の反射型スクリーン。
【請求項４】
上記吸収層は、偏光方向が特定の一軸方向の光束のみを吸収し、この一軸方向の他の方向の偏光成分を透過させる
ことを特徴とする請求項１記載の反射型スクリーン。
【請求項５】
上記特定の偏光状態の光を吸収する第１の吸収層に加え、偏向方向によらず光束を吸収する副吸収層を有することを特徴とする請求項１記載の反射型スクリーン。
【請求項６】
上記表面層は、反射防止膜からなることを特徴とする請求項１記載の反射型スクリーン。
【請求項７】
上記表面層と上記反射層との間に、上記投射光の偏光状態を略々保ちつつ光を拡散する拡散層を更に有する
ことを特徴とする請求項１記載の反射型スクリーン。
【請求項８】
上記拡散層は、上記吸収層の前面側に設けられている
ことを特徴とする請求項７記載の反射型スクリーン。
【請求項９】
上記吸収層は、略々平板形状の立体構造を有する色素分子が基材上に配列されて形成されており、
上記各色素分子は、平板形状の主面部を上記基材の主面部に対して略々垂直とするとともに、互いに積層状となされて配列されている
ことを特徴とする請求項２記載の反射型スクリーン。
【請求項１０】
上記特定の一軸方向を縦方向とすることを特徴とする請求項２記載の反射型スクリーン。
【請求項１１】
上記吸収層は、コレステリック液晶からなる層であることを特徴とする請求項３記載の反射型スクリーン。
【請求項１２】
少なくとも前面投射型表示装置と、この前面投射型表示装置からの投射光が投射される反射型スクリーンとを有する表示システムであって、上記反射型スクリーンは、投射光が入射する最表面に設けられた表面層と、最背面に設けられ光を反射する反射層と、該表面層と反射層との間に設けられた所定の厚さの透明層及び特定の偏光状態の光を吸収する吸収層とを有する
ことを特徴とする表示システム。
【請求項１３】
上記吸収層は、偏光方向が特定の一軸方向の光束のみを透過させ、この一軸方向の他の方向の偏光成分を吸収する
ことを特徴とする請求項１２記載の表示システム。
【請求項１４】
上記吸収層は、特定方向の円偏光の光束のみを透過させ、他の偏光状態の光を吸収する
ことを特徴とする請求項１２記載の表示システム。
【請求項１５】
上記吸収層は、偏光方向が特定の一軸方向の光束のみを吸収し、この一軸方向の他の方向の偏光成分を透過させる
ことを特徴とする請求項１２記載の表示システム。
【請求項１６】
上記特定の偏光状態の光を吸収する第１の吸収層に加え、偏向方向によらず光束を吸収する副吸収層を有することを特徴とする請求項１２記載の表示システム。
【請求項１７】
上記表面層は、反射防止膜からなることを特徴とする請求項１２記載の表示システム。
【請求項１８】
上記表面層と上記反射層との間に、上記投射光の偏光状態を略々保ちつつ光を拡散する拡散層を更に有する
ことを特徴とする請求項１２記載の表示システム。
【請求項１９】
上記拡散層は、上記吸収層の前面側に設けられている
ことを特徴とする請求項１８記載の表示システム。
【請求項２０】
少なくとも上記反射型スクリーンを含む領域を照明する照明装置を備え、
上記照明装置は、少なくとも上記反射型スクリーンを照明する照明光については、偏光方向が特定の一軸方向の光束のみを透過させこの一軸方向の他の方向の偏光成分を吸収する吸収板を透過させて、特定の一軸方向の偏光状態としており、上記反射型スクリーンの吸収層において吸収される偏光状態としていることを特徴とする請求項１３記載の表示システム。
【請求項２１】
室外からの光のうち少なくとも上記反射型スクリーンに達する光については、偏光方向が特定の一軸方向の光束のみを透過させこの一軸方向の他の方向の偏光成分を吸収し、上記反射型スクリーンの吸収層において吸収される偏光状態として室内に透過させる吸収板を備えていることを特徴とする請求項１３記載の表示システム。
【請求項２２】
少なくとも反射光が上記反射型スクリーンに達する範囲の壁面、床面及び天井面には、偏光方向が特定の一軸方向の光束のみを反射しこの一軸方向の他の方向の偏光成分を吸収し、上記反射型スクリーンの吸収層において吸収される偏光状態の光のみを選択的に反射させる反射部材が備えられていることを特徴とする請求項１３記載の表示システム。
【請求項２３】
少なくとも上記反射型スクリーンを含む領域を照明する照明装置を備え、
上記照明装置は、少なくとも上記反射型スクリーンを照明する照明光については、偏光方向が特定の一軸方向の光束のみを吸収しこの一軸方向の他の方向の偏光成分を透過させる吸収板を透過させ、上記反射型スクリーンの吸収層において吸収される偏光状態としていることを特徴とする請求項１３記載の表示システム。
【請求項２４】
室外からの光のうち少なくとも上記反射型スクリーンに達する光については、偏光方向が特定の一軸方向の光束のみを吸収しこの一軸方向の他の方向の偏光成分を透過させ、上記反射型スクリーンの吸収層において吸収される偏光状態として室内に透過させる吸収板を備えていることを特徴とする請求項１３記載の表示システム。
【請求項２５】
少なくとも反射光が上記反射型スクリーンに達する範囲の壁面、床面及び天井面には、偏光方向が特定の一軸方向の光束のみを吸収しこの一軸方向の他の方向の偏光成分を反射し、上記反射型スクリーンの吸収層において吸収される偏光状態の光のみを選択的に反射させる反射部材が備えられていることを特徴とする請求項１３記載の表示システム。
【請求項２６】
少なくとも上記反射型スクリーンを含む領域を照明する照明装置を備え、
上記照明装置は、少なくとも上記反射型スクリーンを照明する照明光については、偏光方向が特定の円偏光の光束のみを透過させ、他の方向の円偏光成分を吸収する吸収板を透過させて、特定の円偏光状態としており、上記反射型スクリーンの吸収層において吸収される偏光状態としていることを特徴とする請求項１４記載の表示システム。
【請求項２７】
室外からの光のうち少なくとも上記反射型スクリーンに達する光については、偏光方向が特定の円偏光の光束のみを透過させ他の方向の円偏光成分を吸収し、上記反射型スクリーンの吸収層において吸収される偏光状態として室内に透過させる吸収板を備えていることを特徴とする請求項１４記載の表示システム。
【請求項２８】
少なくとも反射光が上記反射型スクリーンに達する範囲の壁面、床面及び天井面には、偏光方向が特定の円偏光の光束のみを反射し他の方向の円偏光成分を吸収し、上記反射型スクリーンの吸収層において吸収される偏光状態の光のみを選択的に反射させる反射部材が備えられていることを特徴とする請求項１４記載の表示システム。
【請求項２９】
少なくとも上記反射型スクリーンを含む領域を照明する照明装置を備え、
上記照明装置は、少なくとも上記反射型スクリーンを照明する照明光については、偏光方向が特定の一軸方向の光束のみを透過させこの一軸方向の他の方向の偏光成分を吸収する吸収板を透過させて、特定の一軸方向の偏光状態としており、上記反射型スクリーンの吸収層において吸収される偏光状態としていることを特徴とする請求項１５記載の表示システム。
【請求項３０】
室外からの光のうち少なくとも上記反射型スクリーンに達する光については、偏光方向が特定の一軸方向の光束のみを透過させこの一軸方向の他の方向の偏光成分を吸収し、上記反射型スクリーンの吸収層において吸収される偏光状態として室内に透過させる吸収板を備えていることを特徴とする請求項１５記載の表示システム。
【請求項３１】
少なくとも反射光が上記反射型スクリーンに達する範囲の壁面、床面及び天井面には、偏光方向が特定の一軸方向の光束のみを反射しこの一軸方向の他の方向の偏光成分を吸収し、上記反射型スクリーンの吸収層において吸収される偏光状態の光のみを選択的に反射させる反射部材が備えられていることを特徴とする請求項１５記載の表示システム。
【請求項３２】
少なくとも上記反射型スクリーンを含む領域を照明する照明装置を備え、
上記照明装置は、少なくとも上記反射型スクリーンを照明する照明光については、偏光方向が特定の一軸方向の光束のみを吸収しこの一軸方向の他の方向の偏光成分を透過させる吸収板を透過させ、上記反射型スクリーンの吸収層において吸収される偏光状態としていることを特徴とする請求項１５記載の表示システム。
【請求項３３】
室外からの光のうち少なくとも上記反射型スクリーンに達する光については、偏光方向が特定の一軸方向の光束のみを吸収しこの一軸方向の他の方向の偏光成分を透過させ、上記反射型スクリーンの吸収層において吸収される偏光状態として室内に透過させる吸収板を備えていることを特徴とする請求項１５記載の表示システム。
【請求項３４】
少なくとも反射光が上記反射型スクリーンに達する範囲の壁面、床面及び天井面には、偏光方向が特定の一軸方向の光束のみを吸収しこの一軸方向の他の方向の偏光成分を反射し、上記反射型スクリーンの吸収層において吸収される偏光状態の光のみを選択的に反射させる反射部材が備えられていることを特徴とする請求項１５記載の表示システム。
【発明の詳細な説明】
【０００１】
【発明の属する技術分野】
本発明は、投射光が前面から投射されて画像を表示する反射型スクリーンと、このような反射型スクリーン及び前面投射型表示装置を備える表示システムに関する。
【０００２】
【従来の技術】
近年、表示装置として、画像を表示する投射光をスクリーンに投射することによって、大画面の画像表示を得るようになされた投射型表示装置、いわゆるプロジェクタが広く普及している。
【０００３】
そして、このようなプロジェクタの１つとして、前面投射型表示装置、いわゆるフロントプロジェクタが知られている。このフロントプロジェクタは、反射型スクリーンに対して、その前面側から投射光を投射することにより、画像の表示を行う。
【０００４】
このような前面投射型表示装置（フロントプロジェクタ）と、反射型スクリーンとを用いて画像表示を行うにあたっては、外光の影響によって、いわゆる「黒が浮いた」状態となり、表示画像の品質の一つであるコントラストが低下するという問題がある。すなわち、反射型スクリーンの周囲が明るい環境下においては、外光が反射型スクリーンによって反射されて観察者の瞳に入射してしまい、表示画像について十分なコントラストが得られなくなる。
【０００５】
例えば、上述のような前面投射型表示装置及び反射型スクリーンからなる表示システムを室内に設置した場合について考える。この場合において、室内には、前面投射型表示装置からの投射光以外に、いわゆる外光が反射型スクリーンにも到達する。すなわち、例えば太陽光等の屋外からの光や、照明器具等から照射される室内照明光が、反射型スクリーンにも到達し、この反射型スクリーンによって反射される。
【０００６】
このように、反射型スクリーンによって反射された外光の反射光の明るさが、前面投射型表示装置からの投射光の明るさに対して相応に明るい環境下では、反射型スクリーン上に表示される画像について、充分なコントラストが得られなくなる。
【０００７】
そのため、前面投射型表示装置により反射型スクリーン上に画像を表示するときには、通常、室内を暗くするようにしている。しかし、室内を暗くしてしまうと、反射型スクリーン上に表示された画像以外のものが見えなくなってしまい、不便である。
【０００８】
このような不便を解消するためには、前面投射型表示装置からの投射光のみを選択的に反射拡散し、外光を吸収する反射型スクリーンを用いることが考えられる。このような反射型スクリーンを用いれば、室内を暗くすることなく、反射型スクリーン上に良好なコントラストの画像を表示することができる。
【０００９】
前面投射型表示装置から投射される投射光のみを選択的に反射拡散する反射型スクリーンの構成としては、いわゆる偏光スクリーンと呼ばれる偏光選択性を有する反射型スクリーンを用いることが提案されている。すなわち、所定の偏光状態を吸収する性質を有する反射型スクリーンを用いるとともに、前面投射型表示装置からの投射光は、液晶フロントプロジェクタ等を用いることにより、反射型スクリーンにおいて吸収される偏光方向に直交する方向の直線偏光状態としておく。すると、前面投射型表示装置からの投射光が略々そのまま反射型スクリーンにおいて反射されるのに対し、外光は、通常無偏光であるので、略々半分程度が反射型スクリーンにおいて吸収される。その結果、前面投射型表示装置からの投射光の強度が弱い黒を表示した部分の反射輝度を抑えることができ、表示画像のコントラストを改善することができる。
【００１０】
さらに、室内の照明器具からの室内照明光を反射型スクリーンにおいて吸収される偏光状態としておき、屋外からの外光を極力遮断するようにすることにより、表示画像のコントラストをより改善することができる。
【００１１】
【特許文献１】
特開２００２−２３６２１１号公報
【特許文献２】
特表２００１−５１２８４５号公報
【００１２】
【発明が解決しようとする課題】
ここで、上述の偏光スクリーンは、透過型の偏光板を用いた場合には、反射光の偏光方向を乱しにくい、金属などの表面反射を利用した反射層が適しており、また反射型の偏光板を用いた場合でも、反射は極薄い層で起こり、表面反射に近い反射機構をもっているので、これを含めて偏光スクリーンでは反射層に表面反射を用いることが一般的となっている。ところで、「シルバー系」とも呼ばれる金属等の表面反射を利用した反射拡散面を有する反射型スクリーンにおいては、表面の粗さや、反射光、透過光の回折現象等により、映像が細かい斑点状にギラギラと見えるいわゆる「シンチレーション」という現象がある。上述の反射型スクリーンを用いた表示システムにおいては、このような「シンチレーション」によって、表示画像にざらつき感が生じ、画像の品位を低下していた。
【００１３】
この「シンチレーション」の原因は、金属面等が有する表面反射の特性に起因している。すなわち、「ホワイトマット」と呼ばれる反射型スクリーンや、紙等における光反射では、図２９に示すように、光は、表面部だけで散乱されるのではなく、紙等の内部に入って、内部でも散乱される。そのため、例えば、表面に凸凹があったとしても、その微視的な面自体が拡散性を持っているので、その凹凸によって斑状の明暗は生じにくい。また、干渉距離よりも短い距離内の散乱があったとしても、厚み方向に散乱光が重なって、干渉による斑状の明暗は生じない。
【００１４】
しかし、例えばアルミニウム箔等の金属を使用した拡散反射板の場合、図３０に示すように、光は金属中に進入できないため表面反射となり、拡散板の表面に凸凹があれば、凸凹の徴小面のそれぞれが鏡面反射をすることになる。そのため、反射光のうち、観測者方向に反射する徴小面からの光だけが観測者に見え、斑状の明暗が生じてしまう。
【００１５】
また、前面投射型表示装置の白色光源の干渉距離は数μｍ〜数１０μｍ程度であるが、前面投射型表示装置からの投射光は、ほぼ平行光束であるため、同一方向に反射する反射点からの反射光が干渉距離以内になることも充分にあり、この場合には、光が干渉することから、色のついた斑状の明暗が生じて見える。このような斑状の明暗もギラギラとした印象を与え、表示画像の品位を低下させることとなる。
【００１６】
そこで、本発明は、上述の実情に鑑みて提案されるものであって、前面投射型表示装置（フロントプロジェクタ）によって画像表示光を投射される反射型スクリーンにおいて、この反射型スクリーンに到達する外光が明るい環境下であっても、充分に高いコントラストの表示画像が得られるようになされた反射型スクリーンを提供し、また、このような反射型スクリーン及び前面投射型表示装置からなる表示システムを提供しようとするものである。
【００１７】
【課題を解決するための手段】
上述の課題を解決するため、本発明に係る反射型スクリーンは、前面投射型表示装置から投射される投射光を反射することで画像表示を行う反射型スクリーンであって、投射光が入射する最表面に設けられた表面層と、最背面に設けられ光を反射する反射層と、該表面層と反射層との間に設けられた所定の厚さの透明層及び特定の偏光状態の光を吸収する吸収層とを有することを特徴とするものである。
【００１８】
本発明においては、吸収層により、投射された光束のうち特定の偏光状態の光のみを選択反射する機能を得ることができると共に、透明層により表面層と反射層との間を離し、表面層近くに上記投射光の偏光状態を略々保ちつつ光を拡散する拡散度が小さい拡散層を設ければ、反射層を金属等の表面反射を利用したものとした際に反射層の表面の凸凹により生じるシンチレーションと呼ばれる斑模様のコントラストを防止することができる。この拡散度が小さい拡散層の機能は、投射光の直接反射を拡散するためにスクリーン表面に施す、所謂アンチグレア層の透過光に対する拡散性で代用することができる。ここで、透明層とは、光を透過する透明な材料からなるもののみならず、空気の層からなる空気層を含むものとする。
【００１９】
また、上記吸収層は、偏光方向が特定の一軸方向の光束のみを透過させ、この一軸方向の他の方向の偏光成分を吸収するか、特定方向の円偏光の光束のみを透過させ、他の偏光状態の光を吸収するか、又は上記吸収層は、偏光方向が特定の一軸方向の光束のみを吸収し、この一軸方向の他の方向の偏光成分を透過させるものとすることができる。
【００２０】
更にまた、上記拡散層は、上記吸収層の前面側に設けられていることが好ましく、これにより、拡散層による後方散乱を最小限にすることができる。
【００２１】
また、上記吸収層を偏光方向が特定の一軸方向の光束のみを透過させ、この一軸方向の他の方向の偏光成分を吸収するものとした場合、上記特定の一軸方向を縦方向とすることが好ましく、これにより、上下方向からの外光を効率よく吸収してコントラストが高く左右への視野角を広くとった表示画像を提供することができる。
【００２２】
そして、本発明に係る表示システムは、少なくとも前面投射型表示装置と、この前面投射型表示装置からの投射光が投射される反射型スクリーンとを有する表示システムであって、上記反射型スクリーンは、投射光が入射する最表面に設けられた表面層と、最背面に設けられ光を反射する反射層と、該表面層と反射層との間に設けられた所定の厚さの透明層及び特定の偏光状態の光を吸収する吸収層とを有することを特徴とするものである。
【００２３】
また、上記吸収層は、偏光方向が特定の一軸方向の光束のみを透過させ、この一軸方向の他の方向の偏光成分を吸収するか、特定方向の円偏光の光束のみを透過させ、他の偏光状態の光を吸収するか、又は偏光方向が特定の一軸方向の光束のみを吸収し、この一軸方向の他の方向の偏光成分を透過させるものとすることができる。
【００２４】
本発明に係る表示システムにおいては、前面投射型表示装置から反射型スクリーンに投射された特定の偏光状態の投射光は、反射型スクリーンにおいて選択反射され、一方、投射光と異なる偏光状態の光成分は、吸収層において吸収され、反射型スクリーンにより反射されない。
【００２５】
【発明の実施の形態】
以下、本発明の実施の形態について、図面を参照しながら説明する。この実施の形態においては、少なくとも、投射光を投射する前面投射型表示装置（フロントプロジェクタ）と、この前面投射型表示装置から投射された投射光を反射させることで画像を表示する本発明に係る反射型のスクリーンとを備える本発明に係る表示システムについて説明する。さらに、上述の表示システムにさらに照明装置を加えた本発明に係る表示システムについて説明する。
【００２６】
〔反射型スクリーンの構成〕
本発明に係る反射型の偏光スクリーンには、図１に示すように投射光が入射する最表面に形成される表面層と、最背面の拡散反射板３と、表面層と拡散反射板３との間に配置される偏光吸収層２とからなる３つの要素が最低限必要となる。ここで、反射型スクリーンにおいては、プロジェクタの投射光の表面での直接反射が視聴者に見えないことが必要であり、表面層は、透明層１の最表面層に「ＡＲ処理」や「アンチグレア処理」を施すことにより形成することができる。ＡＲ処理により、直接反射光を低減し、アンチグレアと呼ばれる細かい凹凸を表面に持たせ、表面反射光を拡散させ、直接反射光を色々な方向に散乱させることで直接反射光を視認しにくくすることができる。アンチグレアを使用しなくても、表面に微細な形状を持たせることででもこの目的は達せられ、直接反射光を視聴者の目に入らない方向に反射させることができる。また、「ＡＲ処理」は、透明層１より屈折率の低い透明材料からなりλ／４（四分の一波長）の厚さ（光路長）を有する反射防止膜を透明層１の表面部に形成する処理であって、この場合には、波長λの光に対する反射防止が図られる。そして、この「ＡＲ処理」は、反射防止膜の材料、厚さを適宜選択し多層化することにより、幅広い波長帯域の光について反射防止を行えるようになっている。また、この透明層１は、透過光の偏光状態を乱さない、いわゆる「ＴＡＣ」等の材料により形成されている。
【００２７】
偏光吸収層２は、言うまでもなくプロジェクタの投影光の偏光方向と直交する方向に光の吸収軸を有するものを配置する必要があり、本実施の形態においては、「Ｅ型偏光板」、「コレステリック液晶層」及び「Ｏ型偏光板」のいずれかから構成される。このような構成からなる本発明に係る反射型スクリーンに偏光した光が入射した場合の入射光の吸収の状態を、吸収層２が「Ｅ型偏光板」である場合と、「Ｏ型偏光板」、または、「コレステリック液晶層」である場合とを比較しながら説明する。なお、「Ｅ型偏光板」と「Ｏ型偏光板」との違いについては後述する。
【００２８】
「Ｏ型偏光板」からなる吸収層２の場合には、図２に示すように、この反射型スクリーン４の表面を垂直とし、「Ｏ型偏光板」からなる吸収層２の図２中矢印で示す光吸収方向を水平として設置した場合、正面から入射する横偏光の光、斜め上方から入射する横偏光の光及び斜め下方から入射する横偏光の光については、「Ｏ型偏光板」からなる吸収層２において吸収される。しかし、斜め左方、斜め右方から入射する光については、光の入射方向が光吸収軸の方向に近くなり、光吸収に寄与する方向の成分が正面方向に比べ小さくなるので、たとえ横偏光であっても、偏光選択性が劣化、すなわち、透過させる。「Ｏ型偏光板」からなる吸収層２を透過した光は、この「Ｏ型偏光板」からなる吸収層２の背後の拡散反射板３によって反射され、この反射型スクリーンの外方側に出射する。
【００２９】
また、この吸収層２が、特定方向の円偏光の光束のみを透過させ、他の偏光状態の光を吸収する「コレステリック液晶層」である場合には、この吸収層２においては、光の入射方向に依らず、特定方向の円偏光の光束のみが透過され、他の偏光状態の光は吸収される。
【００３０】
そして、「Ｅ型偏光板」からなる吸収層２の場合には、図３に示すように、この反射型スクリーン４の表面を垂直となして設置した場合、「Ｅ型偏光板」からなる吸収層２における光吸収方向は、図３中矢印Ａ、矢印Ｂ、矢印Ｃ及び矢印Ｄで示すように、この反射型スクリーン４の表面に垂直な特定の一平面内における全ての方向となっている。したがって、この反射型スクリーンにおいては、斜め左方や斜め左方から入射する光に対しても、正面から入射する光と同等の偏光選択性が得られる。また、斜め上方や斜め下方から入射する光については、偏光方向に依らずに、吸収する。
【００３１】
ところで、上述のような反射型スクリーン上に画像表示を行う前面投射型表示装置（フロントプロジェクタ）は、この反射型スクリーンの吸収層２を透過する偏光状態の画像表示光をこの反射型スクリーンに対して投射して画像を表示する。そして、この前面投射型表示装置は、この反射型スクリーンのほぼ正面方向に位置して設置される。そのため、この前面投射型表示装置から反射型スクリーンに対して、この反射型スクリーンの斜め上方側や斜め下方側より入射する光はほとんど存在しない。したがって、反射型スクリーンにおいて、斜め上方側や斜め下方側から入射してくる光を偏光方向に依らずに吸収してしまっても不都合は生じず、むしろ、室内の照明光や窓からの外来光の反射を排除できるので、表示画像のコントラストの向上を実現できることとなる。
【００３２】
すなわち、この反射型スクリーンにおいて、「Ｅ型偏光板」を用いた場合においては、「Ｅ型偏光板」における正面からの入射光に対する偏光選択性が、「Ｏ型偏光板」を用いた場合と同等ならば、あらゆる方向からの入射光について、「Ｏ型偏光板」と同等か、または、より強い外光排除能力があり、表示画像のコントラストの向上を実現できる。
【００３３】
また、上述したように、フロントプロジェクタ用の偏光スクリーンは、偏光を選択吸収する吸収層（以下、偏光吸収層という。）２を有し、この偏光吸収層２を透過できた光のみが拡散反射板３に到達し、この拡散反射板３にて反射された光が再び偏光吸収層２を通り、視聴者の方に散乱するように構成されている。
【００３４】
このため、拡散反射板３には偏光方向を乱さないものが選ばれており、例えばホワイトマット等のような樹脂系の素材の表面で起こる体積反射等は偏光方向を乱すため、偏光スクリーンの用途に用いるには問題がある。すなわち、ホワイトマット等のような樹脂系の素材は、ある程度内部に光が入り込む体積反射と呼ばれる反射機構を有し、このような物質では光は物体内で何度も反射散乱されて外部に放出されるため、この間に偏光方向が乱れてしまう。例えば、界面反射による拡散反射板であったとしても、第１層をハーフミラーのようにして２層の拡散層としたとしても、この層間で何度も反射する光があるようだと偏光は保存されにくくなる。
【００３５】
つまり、偏光スクリーンの拡散反射板３としては、１つの表面でなるべく回数の少ない反射で光を拡散する素材が望ましく、これは金属の表面反射で簡単に実現することができる。しかしながら、金属等の微細な表面の反射からなる拡散反射板３を用いると、表面の凸凹により、シンチレーションと呼ばれる斑模様のコントラストが生じ、ギラギラとした輝度の濃淡が現れ、画質を劣化させてしまう。この原因としては、拡散面の粒径の荒さが目えてしまうことや、光の干渉によるもの等が考えられる。
【００３６】
そこで、本実施の形態においては、金属等の表面反射を利用する拡散反射板３を使用した反射型スクリーンにおいて、最表面（最前面）に配置される表面層と、最背面に配置される拡散反射板３との間に、偏光吸収層２に加え、透明層及び拡散層を設けることで、上述したような斑模様のコントラストを更に小さくし、表示画像の品位を更に向上した高コントラストの偏光スクリーンを実現するものである。ここでは、先ず、シンチレーション及びこれを防止する原理について説明し、次に具体的な構成について説明する。
【００３７】
図４は、反射型スクリーンにおけるシンチレーションを説明する模式図である。図４に示すように、シンチレーションが起こるということは、拡散反射板４３の表面を微視的に見たとき、その微小面からの反射光が観測者６０の方向に放射されている部分５２と、観測者６０の方向に放射されていない部分５１ができてしまっているということを表している。すなわち、部分５２から観測者６０の方向に放射される光５３の有無により、明るく見える部分５２と暗くみえる部分５１とが生じてしまう。
【００３８】
このようなシンチレーションを軽減するために、拡散反射板３の表面に拡散剤を塗ることが考えられる。図５は、反射型スクリーンにおける拡散反射板の前面に拡散層を設けた場合のシンチレーションを説明する模式図である。
【００３９】
図５に示すように、拡散反射板４３の表面に拡散剤を塗布する等して拡散層４１ｂを設ければ、観測者６０の方向に反射光が放射されていない微小部分からの光も拡散により方向を変えられて、観測者６０の方向に放射されるようになり、シンチレーションを軽減することができると考えられる。しかしながら、これはつまり拡散反射板４３の表面を完全拡散に近づけることを意味しており、偏光方向の保存が必要だということからすれば、シンチレーションを防止できる程度に拡散層４１ｂの拡散度を上げることは困難である。
【００４０】
一方で、拡散度が小さな拡散層４１ｂを用いても、光の放射方向を大きく変えることはできないので、観測者６０から見て暗部にあたる微小部分からの光５４を、観測者６０の方向へ放射させることはできず、シンチレーションを防止する大きな効果が期待できない。
【００４１】
以上のような知見に基づき、本願発明者等が鋭意実験研究した結果、偏光状態を変えない程度の拡散度が小さい拡散層であっても、金属等の微細な表面の反射からなる拡散反射板４３に対して、ある程度距離を離して配置すれば、スクリーン面がぎらぎらして見える所謂シンチレーション防止の効果が得られることを見出した。以下、この反射型スクリーンについて詳細に説明する。
【００４２】
図６は、本実施の形態における反射型スクリーンの効果を説明する図であって、拡散反射板及び拡散層の配置を説明する模式図である。上述した如く、液晶プロジェクタから投射される投射光、すなわち、特定の偏光状態とされた光の偏光状態を変えない最大の拡散度以下の小さい拡散機能を有し、光の放射方向及び偏光方向をあまり変えない拡散層４１ｂを使用し、拡散反射板４３の表面にこれを配置しても、シンチレーションを防止する効果はあまり得られない。そこで、図６に示すように、拡散層４１ｂを拡散反射板４３から距離Ｌだけ離して配置する。
【００４３】
ある方向から見て、（白色でも単色でも）光が斑状に見える場合、そちらの方向に光を反射している微小部分があるが、その近傍は僅かに異なる方向に光を反射していると考えられる。拡散反射板４３からある程度離れた部分に拡散層４１ｂがあると、この僅かに異なる方向に放射されている光が、観測者６０から見て本来光が到達していなかった斑の暗部に入ってから拡散される。元々、光の方向は僅かしか違っていなかったので、投射光の偏光状態を略々保つことができる拡散度が小さな拡散層４１ｂでも観測者６０の方向に光の方向を変えることができ、従って観測者６０から見て斑の暗部を埋めるように見え、シンチレーションを軽減することができる。
【００４４】
以上のことから、拡散層は少なくともシンチレーションによる光の斑模様の間隔以上は拡散反射板４３から離す必要があると考えられるが、このように拡散層４１ｂを拡散反射板４３から離れて配置することで周囲の光を混ぜ合わせて斑模様を軽減するので、一方では解像度を劣化させることになる。この場合、隣接するピクセルの像が重なり合わない範囲が解像度の劣化の限界とし、シンチレーションを軽減しつつ、隣接するピクセルの像が重なり合わない範囲内で、解像度を過度に劣化させない程度の適当な距離Ｌを選択する必要がある。
【００４５】
以下、このような構造を具体的に実現するための反射型スクリーンの構成について説明する。このような反射型スクリーンは、拡散反射板４３の前方、すなわちアンチグレア処理を施す等した表面層と、拡散反射板４３との間に、上記適当な距離を保つための透明な層と、拡散反射板４３からの光を拡散する拡散層とを新たに追加することで実現することができる。
【００４６】
図７は、本実施の形態における反射型スクリーンの具体的構成を模式的に示す断面図である。このような反射型スクリーンとしては、図７（ａ）乃至（ｃ）に示す３種類の反射型スクリーン４０Ａ〜４０Ｃが考えられる。第１の反射型スクリーン４０Ａは、図７（ａ）に示すように、拡散反射板４３と例えばアンチグレア処理した表面層（以下、表面ＡＧ層という。）４１ａとの間に、拡散反射板４３側から透明層４１ｃ、拡散層４１ｂ、偏光吸収層４２を順に配置したものであり、拡散反射板４３と偏光吸収層４２との間に、透明層４１ｃ及び拡散層４１ｂを配置することで、上述したように、隣接するピクセルの像が重なり合わない範囲内で、シンチレーションを防止するための適当な距離ｄを保つことができる。
【００４７】
また、第２の反射型スクリーン４０Ｂは、図７（ｂ）に示すように、拡散反射板４３上に、透明層４１ｃ、偏光吸収層４２、拡散層４１ｂを順に配置したものであり、第３の反射型スクリーン４０Ｃは、図７（ｃ）に示すように、拡散反射板４３上に、偏光吸収層４２、透明層４１ｃ、拡散層４１ｂを順に配置したものであり、拡散反射板４３と拡散層４１ｂとの間に、透明層４１ｃ及び偏光吸収層４２を配置することにより、上記適当な距離ｄを保つことができる。
【００４８】
ここで、図７（ａ）に示すように、偏光吸収層４２の背面側に拡散層４１ｂを配置することが好ましく、最もコントラスト性能が高いものとなる。以下、この理由について説明する。
【００４９】
偏光吸収層４２より前面側に拡散層４１ｂを配置する図７（ｂ）及び（ｃ）の構造においては、投射光及び外光の大部分が拡散層４１ｂに入射することになり、拡散層４１ｂの後方散乱は、全て観測者の方に散乱されることになってしまう。
【００５０】
ところで、投射光は、偏光吸収層４２を透過する方向に偏光状態が揃えられて投射されるためその大部分は透過するが、自然光（外光）は、偏光状態がランダムなため、偏光吸収層４２における透過率は略５０％となる。従って、図７（ａ）のように、拡散層４１ｂの前面側に偏光吸収層４２を配置することで、拡散層４１ｂに到達する外光を５０％程度カットしておくことができ、これにより後方散乱により観測者の方向に散乱される光も５０％程度カットできる。また、このように偏光吸収層４２の背面側に拡散層４１ｂを配置することで、拡散層４１ｂで後方散乱した光は、偏光吸収層４２を再び通過することになる。後方散乱では偏光方向が回転している成分も多いため、そのような成分、すなわち偏光吸収層を透過した後、偏光方向が回転しているような偏光は、偏光吸収層４２により吸収されるため、更に後方散乱を低減することができる。これにより、偏光吸収層４２を拡散層４１ｂの前面側に配置する図７（ａ）の構成が、もっともコントラストが高くなる。
【００５１】
また、表面ＡＧ層４１ａは最表面に微細な凹凸の形状を有するが、この部分にも入射光を僅かに散乱する効果があるので、図８に示すように、投射光の直接反射を防止するだけでなく、拡散反射板４３からの反射光を僅かに拡散させ、シンチレーションを軽減する拡散層４１ｂの機能を表面ＡＧ層４１ａで代用させるようにしてもよい。ただし、この場合は、投射光の直接反射を防止する効果と、シンチレーションを軽減する効果を独立にコントロールすることが難しくなり、また拡散層を偏光吸収層の背面に配置できないので、上述の図７（ａ）に示す構成に比してコントラストを向上する効果はやや小さくなる。なお、このように拡散層４１ｂの機能を持たせた表面ＡＧ層４１ａとした場合においても、この表面ＡＧ層４１ａにより投射光の偏光状態を変えない程度の拡散度とする必要がある。
【００５２】
ここで、図７（ａ）乃至（ｃ）及び図８に示す拡散反射板４３から表面層４１ａの表面までの、隣接するピクセルの像が重なり合わない範囲内で、シンチレーションを防止するための適当な距離ｄについて説明する。上述したように、拡散層４１ａは、拡散反射板４３からある程度離さなければその拡散効果が得られず、一方で、拡散反射板４３から離しすぎると拡散効果が大きくなりすぎ、隣接するピクセルの像が重なりあう程度まで大きくなると、解像度が劣化してしまうことになる。従って、拡散効果が得られて且つ解像度が劣化しない適当な距離とする必要がある。
【００５３】
このような距離ｄは、計算により求めてもよいが、実験により求めることができる。そして、解像度が劣化しない最大の距離以下でシンチレーション効果が大きくなる距離ｄを選択し、このような距離ｄとなるよう透明層４１ｃの膜厚を設定すればよい。
【００５４】
図９は、縦軸に斑模様のコントラスト（シンチレーション）の大きさをとり、横軸に透明層１の表面の拡散面と拡散反射板３との層厚ｄをとって、シンチレーションの低減効果と距離の関係を示すグラフ図である。層厚ｄを大きくするとシンチレーションは低下するが、層厚が２ｍｍ程度以上に長くしても、それ以上はほとんど改善しなくなる。一方、表示画像の解像度を示すＭＴＦ（Ｍｏｄｕｌａｔｉｏｎ  Ｔｒａｎｓｆｅｒ  Ｆｕｎｃｔｉｏｎ）は、距離ｄが３ｍｍ程度に至るまでは、この距離ｄが長いほど低下する。
【００５５】
ここで、図９に示すデータは、図７（ｂ）及び（ｃ）に示すような最表面に表面ＡＧ層４１ａを有し、その背面側に拡散層４１ｂを配置した反射型スクリーン、並びに図８に示すような拡散層の機能を持たせた表面ＡＧ層４１ａを有するような反射型スクリーンにおけるシンチレーション低減の効果を示すものであるが、図７（ａ）に示すように、表面ＡＧ層４１ａと拡散層４１ｂとの間に偏光吸収層４２が設けられている場合であっても、偏光吸収層４２の厚さは、拡散反射板４３から表面ＡＧ層の最表面までの距離ｄに対してそれほど大きくないため、ほぼ同様の結果が得られる。
【００５６】
図９に示すように、距離ｄは、ピクセル間隔から制限されるため、いわゆる「ＨＤ規格相当」の解像度が必要であれば１ｍｍ乃至１．５ｍｍ程度とし、いわゆる「ＷＸＧＡ規格相当」の解像度で充分な場合であれば、２ｍｍ乃至２．５ｍｍ程度となるよう、透明層４１ｃの厚さを調整すればよい。
【００５７】
ここで、距離ｄが同一であった場合においても、図７（ａ）のように偏光吸収層４２の背面側に拡散層４１ｂを配置する方がコントラストが高いのは、上述した如く、偏光吸収層４２により、拡散反射板４３に到達する光を例えば図７（ｂ）に示す場合に比して５０％に低減してから拡散させた方が後方散乱を少なくすることができるためである。
【００５８】
また、上述の説明においては、透明層４１ｃを例えばアクリル又はガラス等の透明な材料からなる透明層として説明したが、拡散層４１ｂを拡散反射板４３から距離を隔てることが重要であって、例えば空気からなる空気層を透明層としてもよい。
【００５９】
また、このような機能を有する反射型偏光スクリーンの構成は上記の構成に限定されるものではなく以下のような構成も考えられる。
【００６０】
図１に示す拡散反射板３として、例えばシルバー系と呼ばれる金属反射的な反射特性を有するものとすることで、その入射光に対する反射光の大きさであるゲインを高くすれば、上方から来る外光を正面にあまり返さず、外光コントラストを向上させることができる。また、図１に示す拡散反射板３として、ビーズスクリーンのように再帰反射性を有するものとすることで入射光に対する入射光の方向へ反射する反射光の大きさであるゲインを高くすれば上方から到達する外光を正面にあまり返さず外光コントラストを向上させることができる。偏光スクリーンは、偏光を乱さない拡散反射板が必要なのでゲインの高い拡散反射板を使用していることが多く、このゲインの効果で外光コントラストが高くなっている側面もある。しかしながら、ゲインを高めすぎると輝度が高くなりすぎることがあるので、これを抑え、適度な輝度とするために、偏光吸収層とは別に偏光によらない光吸収層（副吸収層）を加える構成が考えられる。
【００６１】
また、例えば図１０（ａ）及び（ｂ）に示すように、透明層を表面層１ａと、透明層１ｂとし、この透明層１ｂを、ある程度の厚みを有し、偏光状態を変えない程度の拡散度が小さい拡散層として機能するものとしても、反射光を図中に示したように拡散するので、上記図６に示したのと同様な効果が得られ、斑の明暗をぼかして重なり合わせ、斑模様のコントラストを小さくすることができる。この場合の透明層１ｂの厚みについては、拡散反射板３で生じる斑模様のコントラストが充分に小さくなり、かつ、表示画像の解像度が必要な解像度よりも下がらないという上記図９で示した条件を満たす厚みを選定する。また、偏光吸収層２は、表面層１ａと透明層１ｂとの間に配置されてもよく、また透明層１ｂと拡散反射板３との間に配置するものとしてもよい。この場合も上述したように、偏光吸収層２は、透明層１ｂより入射光側に配置することにより、より後方散乱を少なくすることができるため、コントラストが高いものとなる。
【００６２】
また、例えば図１１に示すように、表面層１を、ある程度の厚みを有し、その最表面部に微小な凹凸を持つ層として形成し、その凹凸の持つ透過光散乱性を用いるか、又は、表面層に拡散性の微粒子を混ぜて形成し、偏光状態を略々保ちつつ光を拡散する薄い拡散層とすることによっても反射光を図中に示したように拡散するので、上記図６に示したのと同様な効果が得られ、斑の明暗をぼかして重なり合わせ、斑模様のコントラストを小さくすることができる。この場合の表面層１の厚みについても、拡散反射板３で生じる斑模様のコントラストが充分に小さくなり、かつ、表示画像の解像度が必要な解像度よりも下がらないという上記図９で示した条件を満たす厚みを選定する。
【００６３】
このような構成を用いることにより、金属等の表面反射を利用した拡散反射板を用いた反射型スクリーンにおいて生じるシンチレーションと呼ばれる斑状の明暗のコントラストを小さくすることができ、このシンチレーションにより与えられる金属光沢に似たギラギラと感じる違和感を抑え、表示画像の品位を向上させることができる。この構成により、上述した偏光スクリーンのように、偏光を保持する拡散反射板３を用いる必要のある反射型スクリーンにおける表示画像の品位を向上させることができる。
【００６４】
〔吸収層の構造について〕
次に、「Ｏ型偏光板」と「Ｅ型偏光板」の違いについて説明する。通常用いられている偏光板は、いわゆる二色性の物質で構成され、前述したように、「Ｏ型偏光板」と呼ばれるものである。この「Ｏ型偏光板」は、屈折率楕円体において光吸収軸の方向を記述すると、図１２に示すように、異常光線軸（ｎｅ軸）の方向の屈折率が複素数になっており、この軸の方向が光吸収軸となる。すなわち、偏光方向がこの光吸収軸方向である光は、この「Ｏ型偏光板」において吸収される。「Ｏ型」と呼ぶのは、常光線（ｏｒｄｉｎａｒｙ  ｒａｙ）軸（ｎｏ軸）の方向が光透過軸になっているためである。そして、通常の「Ｏ型偏光板」では、偏光板の面内に、光吸収軸がある。
【００６５】
これに対し、「Ｅ型偏光板」では、図１３に示すように、２つある常光線軸（ｎｏ軸）の方向の屈折率が複素数となっており、偏光方向がこれら常光線軸の方向である光を吸収する。「Ｅ型」と呼ぶのは、異常光線（ｅｘｔｒａｏｒｄｉｎａｒｙ  ｒａｙ）軸（ｎｅ軸）の方向が光透過軸になっているためである。この「Ｅ型偏光板」は、偏光方向が２つの常光線軸（ｎｏ軸）のなす圏内のいずれかの方向である光を吸収する。そして、「Ｅ型偏光板」では、偏光板の圏内に光透過軸がある。
【００６６】
このような「Ｅ型偏光板」は、例えば、図１４に示すように、差し渡し径が２ｎｍ程度の略々平板形状の立体構造を有する色素分子Ｐを基材Ｂ上に配列させることで形成することができる。この場合、各色素分子Ｐは、平板形状の主面部を基材Ｂの主面部に対して略々垂直とするとともに、互いに積層状となされて配列されている。
【００６７】
また、この「Ｅ型偏光板」を構成する略々平板形状の立体構造を有する色素分子としては、例えば、下記のような分子を用いることができる。これらは、二色吸収性材料の例として好適なものであるが、これらの他の二色吸収性材料も使用することができる。
【００６８】
【化１】
2004287377.tif 000003
【００６９】
【化２】
2004287377.tif 000004
【００７０】
【化３】
2004287377.tif 000005
【００７１】
【化４】
2004287377.tif 000006
【００７２】
また、「コレステリック液晶」（ＣＬＣ：Ｃｈｏｌｅｓｔｅｒｉｃ  Ｌｉｑｕｉｄ  Ｃｒｙｓｔａｌ）は、周知のように、個々の平面上では液晶分子軸の配列が同一方向ではあるが、次の平面では、分子軸の配列方向が少しずれ、さらに次の液晶分子軸では、この配列方向がずれていくという構造を有している。すなわち、多面的な構造を有したうえで、分子が配列される平面を進むのにしたがって分子軸の角度がずれていくという構造を有している。すなわち、分子軸が平面を進むのにしたがってねじれていく、いわゆるカイラル構造を有している。
【００７３】
また、上記した分子軸のねじれのピッチ（Ｐ）について、以下のように、波長レベルでは選択反射特性を示すことも広く知られている。
【００７４】
λ＝Ｐ・ｎａｖａ
△λ＝Ｐ・△ｎ
（ただし、λは、選択反射中心波長、△λは、選択反射波長幅、ｎａｖａは、コレステリック液晶平均屈折率、△ｎは、コレステリック液晶屈折率異方性）
【００７５】
そして、コレステリック液晶は、分子軸のねじれ方向によって決定される方向の円偏光を選択的に反射する特性を有する。また、コレステリック液晶は、反射機能を有し、波長選択性も有していることになる。
【００７６】
なお、コレステリック液晶は、ポリマー化することで、温度依存性の少ない安定したフィルムとすることが可能である。また、厚さ方向において、分子軸のねじれのピッチが異なるコレステリック液晶を積層する、もしくは連続的に変化させることで選択反射波長域を調整することも可能である。
【００７７】
〔「Ｅ型偏光板」のコントラスト向上について〕
プロジェクタ（全面投射型表示装置）から投射される投射光を反射する反射型スクリーン（フロントスクリーン）の外光コントラストを考えると、外光は上下方向、特に上方から来ることが多い。そこで、上述したように、図１に示す拡散反射板３として、例えばシルバー系と呼ばれる金属反射的な反射特性を有するものとすることで、その入射光に対する反射光の大きさであるゲインを高くすれば、上方から来る外光を正面にあまり返さず、外光コントラストを向上させることができる。また、図１に示す拡散反射板３として、ビーズスクリーンのように再帰反射性を有するものとすることで入射光に対する入射光の方向へ反射する反射光の大きさであるゲインを高くすれば上方から来る外光を正面にあまり返さず外光コントラストを向上させることができる。偏光スクリーンは、偏光を乱さない拡散反射板が必要なのでゲインの高い拡散反射板を使用していることが多く、このゲインの効果で外光コントラストが高くなっている側面もある。無偏光光下では偏光選択性を有する吸収層においても外光の約半分しか吸収できないため、即ち、半分は透過され反射されてしまうことになり、このゲインの効果は無視できないものとなっている。
【００７８】
しかしながら、外光コントラストを向上させるためと言っても、あまりにゲインを高くすると視野角が狭くなりすぎ、少々の上下の移動により映像の明るさが変って見えたり、スクリーンの周辺部の輝度が小さくなってしまうなどの不都合を生じてしまうため、外光コントラストの向上には限界がある。
【００７９】
一方、通常のディスプレイと同様、このような反射型スクリーンは、使用環境的に、上下方向からよりも、左右方向から見られることが多いので、普通は上下の視野角よりも左右の視野角が大きく取ることができる。
【００８０】
そこで、吸収層２として図１４に示すような「Ｅ型偏光板」層を使用する場合においては、その透過軸の方向が反射型スクリーンの縦軸方向（上下方向）に一致するようにすると、最も効率よく外光コントラストを向上することができる。すなわち、上述した図１４に示す「Ｅ型偏光板」において、各色素分子Ｐの平板形状の主面部を、基材Ｂの主面部に対して略々垂直とするとともに、互いに積層状として配列するのみならず、その主面部に直交する方向となる透過軸方向（ｎｅ軸方向）をスクリーンの上下方向とするものである。以下、このように配置することで、外光コントラストを向上することができる効果について詳細に説明する。
【００８１】
図１５は、「Ｅ型偏光板」を透過する自然光の振幅がどのような角度依存性を有するかを表す図であって、図１５（ａ）は、透過軸方向を反射型スクリーンの上下方向Ｙとした場合の「Ｅ型偏光板」層を示す模式図、図１５（ｂ）及び（ｃ）は、夫々スクリーンの左右方向（水平方向）Ｘの角度及びスクリーンの上下方向（垂直方向）Ｙの角度をとり、縦軸に透過率をとって、「Ｅ型偏光板」を透過する自然光の角度依存性を示すグラフ図である。
【００８２】
図１５（ａ）に示すように、「Ｅ型偏光板」２ａに示す円盤は、「Ｅ型偏光板」２ａにおける光吸収分子（色素分子）Ｐａを模式的に表したもので、この円盤の面内のあらゆる方向が全て光吸収軸となっており、光透過軸方向が図の上下方向（スクリーンの縦軸方向）Ｙとなっている。この図１５（ａ）に示す「Ｅ型偏光板」２ａに対し、図１５（ｂ）及び図１５（ｃ）に示すグラフは、「Ｅ型偏光板」２ａの複素屈折率が常光線の方向に１．８−０．３ｉ、異常光線の方向に１．５−０．０２ｉであり、「Ｅ型偏光板」２ａの層の厚みが０．４μｍであるときの無偏光光の透過率を方向の関数として数値計算した結果を表すものである。図１５（ｃ）に示すように、「Ｅ型偏光板」２ａは上下方向からの光の透過率が０．２乃至０．４程度となっており、７割近くも吸収している。
【００８３】
これに対し、図１６（ａ）は、透過軸方向を反射型スクリーンの縦軸方向Ｙとした場合の「Ｏ型偏光板」層を示す模式図、図１６（ｂ）及び（ｃ）は、夫々スクリーンの左右方向Ｘの角度及びスクリーンの上下方向Ｙの角度をとり、縦軸に透過率をとって、「Ｏ型偏光板」を透過する自然光の角度依存性を示すグラフ図であり、図１５と同様な計算を、複素屈折率が常光線方向に１．５−ｉ４．５Ｅ−５、異常光線方向に１．５−ｉ２Ｅ−３であり、厚さが１８０μｍである場合で、光の透過軸の方向がスクリーンの上下方向Ｙとなっている通常の「Ｏ型偏光板」１０２ａに対して行った結果を示すものである。
【００８４】
ここで、図１６（ａ）に示す「Ｏ型偏光板」１０２ａにおける矢印は「Ｏ型偏光板」１０２ａの線状の光吸収分子１０２ｂを模式的に表している。図１６（ｂ）及び（ｃ）に示すように、「Ｏ型偏光板」１０２ａでは、左右方向及び上下方向のいずれにおいも光の透過率が４割程度と一定であり、光吸収率に方向依存性が殆どない。
【００８５】
このため、このような「Ｅ型偏光板」２ａからなる層及び「Ｏ型偏光板」１０２ａからなる層に対し、同じゲインの拡散板を用いた偏光スクリーン４ａ、１０４ａにおいては、上方から到達する外光の散乱の違いは、光散乱の性質が金属反射的だった場合、夫々図１７（ａ）及び（ｂ）のようになり、光散乱の性質が再帰反射的だった場合、夫々図１８（ａ）及び（ｂ）のようになる。すなわち、外光の散乱が金属反射的であっても、再起反射的であっても、いずれの場合においても「Ｅ型偏光板」２ａを使用した反射型スクリーン４ａの方が、図１７（ａ）及び図１８（ａ）に示すように、図１７（ｂ）及び図１８（ｂ）に示す「Ｏ型偏光板」１０２ａに比して上方から入射する光の吸収率が高いため、正面方向への光散乱の大きさを小さくすることができ、より高い外光コントラストを得ることができる。
【００８６】
すなわち、このように「Ｅ型偏光板」層の光の透過軸を反射型スクリーンの上下方向とすることで、従来の「Ｏ型偏光板」に比して、上下の視野角をある程度確保したままで、上下方向からの外光を吸収し、外光コントラストが極めて高い偏光スクリーンを実現することができる。
【００８７】
〔表示システムの第１の構成〕
そして、本発明に係る表示システムは、上述のような構成からなる本発明に係る反射型スクリーンと、この反射型スクリーンの吸収層２を透過する偏光状態の画像表示光をこの反射型スクリーンに対して投射する前面投射型表示装置とから構成される。
【００８８】
〔前面投射型表示装置の構成〕
上述したように、この表示システムにおいては、反射型スクリーンが偏光選択性を有し、特定方向の直線偏光状態の光のみを選択して反射する。したがって、前面投射型表示装置としては、反射型スクリーンが選択反射する方向の偏光状態の投射光を投射する必要がある。
【００８９】
すなわち、前面投射型表示装置が反射型スクリーンに対して投射する画像表示光は、「Ｅ型偏光板」または「Ｏ型偏光板」あるいは「λ／４板（四分の一波長板）」を透過して投射されることにより、所定の偏光状態（直線偏光状態、または、円偏光状態）となされている。あるいは、前面投射型表示装置の構造上、画像表示光が直線偏光状態となる場合、例えば、空間光変調素子として液晶素子を用いている前面投射型表示装置等においては、この偏光方向が、反射型スクリーンの「Ｅ型偏光板」、「Ｏ型偏光板」、または、「コレステリツク液晶層」からなる吸収層２を透過する偏光方向となるように設定する。
【００９０】
この前面投射型表示装置としては、１枚の空間光変調素子を有するいわゆる１板型、２枚の空間光変調素子を有するいわゆる２板型、あるいは、３枚の空間光変調素子を有するいわゆる３板型のいずれでもよく、また、これら空間光変調素子が反射型であっても透過型であってもよい。反射型の空間光変調素子とは、入射光を表示画像に応じて変調して反射させる空間光変調素子である。また、透過型の空間光変調素子とは、入射光を表示画像に応じて変調して透過させる空間光変調素子である。
【００９１】
２板型、あるいは、３枚型の前面投射型表示装置は、表示画像の各色成分（赤色成分、緑色成分及び青色成分）について各空間光変調素子に分担させて変調させ、これら空間光変調素子による変調光を合成して画像表示光とするものである。
【００９２】
以下、前面投射型表示装置の構成の一例について説明する。この前面投射型表示装置においては、図１９に示すように、例えば、超高圧水銀ランプ（ＵＨＰランプ）やメタルハライドランプ等の放電ランプ等からなる光源となるランプ１０が、リフレクタ１１（放物面鏡）の焦点位置に配置されている。ランプ１０から照射された光は、リフレクタ１１により反射されて光軸にほぼ平行な平行光束となるようにコリメートされて、リフレクタ１１の開口部から出射される。
【００９３】
リフレクタ１１の開口部から出射された光束は、マルチレンズアレイ１２に入射される。このマルチレンズアレイ１２を透過することで、光束が効率よく、かつ均一に後述する空間光変調素子の有効開口に照射される。
【００９４】
マルチレンズアレイ１２を透過した光束は、ダイクロイックミラー１３以降の色分離／合成光学系に入射される。まず、ダイクロイックミラー１３は、赤色の光束Ｒを透過させ、緑色の光束Ｇ及び青色の光束Ｂを反射させる。このダイクロイックミラー１３を透過した赤色の光束Ｒは、ミラー１４により光路を９０゜偏向され、赤色用の空間光変調素子１５の前のコンデンサレンズ１６に導かれる。
【００９５】
一方、ダイクロイックミラー１３にて反射された緑色及び青色の光束Ｇ，Ｂはダイクロイックミラー１７により分離されることになる。すなわち、このダイクロイックミラー１７においては、緑色の光束Ｇは反射されて進行方向を９０゜偏向され、緑色用の空間光変調素子１８の前のコンデンサレンズ１９に導かれる。
【００９６】
また、青色の光束Ｂは、ダイクロイックミラー１７を透過して直進し、リレーレンズ２０、ミラー２１、リレーレンズ２２、ミラー２３を介して、青色用の空間光変調素子２４の前のコンデンサレンズ２５に導かれる。
【００９７】
このようにして、赤、緑、青色の各光束Ｒ，Ｇ，Ｂは、各々のコンデンサレンズ１  ６，１９，２５を通過して、各色用の空間光変調素子１５，１８，２４に入射される。
【００９８】
これら各色の空間光変調素子１５，１８，２４は、例えば、それぞれ液晶パネルを有するとともに、この液晶パネルの前段に入射光の偏光方向を一定方向に揃えるための入射側偏光板を有している。また、液晶パネルの後段には、出射光の所定の偏光面を持つ光成分のみ透過させるいわゆる検光子が配置され、液晶を駆動する回路の電圧により、光の強度を表示画像に応じて変調するようになされている。
【００９９】
そして、空間光変調素子１  ５，１  ８，  ２４により光変調された各色の光束は、光合成素子（ダイクロイックプリズム）２６に対して、３方向から入射される。この光合成素子２６は、４分割された立方体状のプリズムと、該分割面に形成された反射膜２６ａ，２６ｂとが組み合わされて構成されている。
【０１００】
光合成素子２６における赤色の光束Ｒは、反射膜２６ａで反射され、また青色の光束Ｂは、反射膜２６ｂで反射されて、投射レンズ２７に向けて出射される。緑色の光束Ｇは、光合成素子２６内を直進して透過し、投射レンズ２７に向けて出射される。これにより、各光束Ｒ，Ｇ，Ｂが１つの光束に合成された状態で、投射レンズ２７に向けて出射される。
【０１０１】
一般的に、液晶パネルを光変調素子として用いる前面投射型表示装置においては、液晶パネルが偏光状態を利用することから、所定の偏光状態の投射光を投射する。そして、この前面投射型表示装置５においては、偏光状態が、上述の反射型スクリーンの「Ｅ型偏光板」、「Ｏ型偏光板」、または、「コレステリック液晶層」からなる吸収層２を透過し反射される方向の直線偏光状態であるように設定する。
【０１０２】
また、図１９に示すように、ダイクロイックプリズム（光合成素子２６）によって色合成を行う構成の場合には、緑色の光束Ｇと、青色、赤色の光束Ｂ，Ｒとで、出射光の偏光軸が直交している場合がある。このままで反射型スクリーンに投射するのは不都合であるので、このような場合には、緑色の光束Ｇの偏光軸を回転させ、青色、赤色の光束Ｂ，Ｒと一致させることのできる素子を、例えば、投射レンズ２７に入射する光束の光路上に配置すればよい。これが図１９に示す偏光軸回転素子２８に相当する。このように、適当な波長域のみ選択して偏光軸を回転させる素子は、周知となっているものであり、例えば、カラーリンク社より「カラーセレクト」の名称で、すでに商品化もされている。
【０１０３】
投射レンズ２７は、光合成素子２６側から入射された光束を投射光に変換して、上述の反射型スクリーンの前面に対して投射する。
【０１０４】
なお、図１９に示した前面投射型表示装置の構成は、あくまでも一例である。特に、前面投射型表示装置としての色分離／合成光学系の構成は、周知のように多様に存在するものであり、本発明に係る表示システムにおいても、これらの各種の色分離／合成光学系を備えたものであってもよいものである。また、図１９に示した前面投射型表示装置は、透過型の空間光変調素子（液晶パネル）を備えた構成としているが、例えば、反射型空間光変調素子を備えた構成であってもよい。
【０１０５】
〔表示システムの第２の構成〕
さらに、上述のように吸収層２を有する反射型スクリーンは、図２０に示すように、上述のような前面投射型表示装置５と、さらに、所定の偏光状態の照明光を発する照明装置６と組み合わせることで、本発明に係る表示システムを構成することができる。
【０１０６】
このような表示システムの構成として、まず、「Ｏ型偏光板」を用いて室内の照明光を直線偏光状態とする構成を示す。この表示システムにおいては、室内を照明する照明装置６の光源部から発せられた照明光６ａのうち、少なくとも反射型スクリーン４を照明する照明光については、「Ｏ型偏光板」である吸収板７を透過することによって直線偏光状態となされたものとなっている。
【０１０７】
ここで、反射型スクリーンが「Ｏ型偏光板」からなる吸収層２を備えている場合を考える。この場合には、図２１に示すように、「Ｏ型偏光板」である吸収板７をほぼ垂直に透過した照明光は、反射型スクリーンの「Ｏ型偏光板」からなる吸収層２に入射するとき、この「Ｏ型偏光板」からなる吸収層２において吸収される偏光方向となっているので、この「Ｏ型偏光板」からなる吸収層２により効率良く吸収される。この図２１中において、矢印Ａは、反射型スクリーンの「Ｏ型偏光板」からなる吸収層２の光吸収軸を示し、矢印Ｆは、「Ｏ型偏光板」である吸収板７の光吸収軸を示している。また、太い矢印は、吸収板７を透過した照明光の偏光方向を示している。
【０１０８】
なお、この場合において、図２２に示すように、「Ｏ型偏光板」である吸収板７を斜めに透過した照明光の偏光方向は、図２２中の太い矢印で示すように、反射型スクリーンの「Ｏ型偏光板」からなる吸収層２において吸収される偏光方向に一致しなくなる。したがって、このような照明光は、反射型スクリーンの「Ｏ型偏光板」からなる吸収層２において吸収されない成分を含んでいることになるそして、反射型スクリーンが「Ｅ型偏光板」からなる吸収層２を備えたものである場合には、図２３に示すように、「Ｏ型偏光板」である吸収板７をほぼ垂直に透過した照明光は、反射型スクリーン４の「Ｅ型偏光板」からなる吸収層２に入射するとき、この「Ｅ型偏光板」からなる吸収層２において吸収される偏光方向となっているので、この「Ｅ型偏光板」からなる吸収層２により効率良く吸収される。
【０１０９】
また、図２４に示すように、「Ｏ型偏光板」である吸収板７を斜めに透過した照明光の偏光方向は、吸収板７を垂直に透過した照明光の偏光方向とは異なる方向となる。そして、反射型スクリーン４の「Ｅ型偏光板」からなる吸収層２は、このような偏光方向である照明光についても効率良く吸収する。
【０１１０】
したがって、この表示システムにおいては、図２０に示すように、照明装置６から反射型スクリーン４に至った照明光は、略々全てが効率良く反射型スクリーン４の「Ｅ型偏光板」からなる吸収層２において吸収され、この反射型スクリーン４から再び出射されることがない。そのため、この表示システムにおいては、反射型スクリーン４を前面側から観察している鑑賞者８には、前面投射型表示装置５から反射型スクリーン４に投射された画像表示光５ａの反射型スクリーン４による反射光が到達し、照明装置６から反射型スクリーン４に照射された照明光６ａの反射型スクリーン４による反射光が到達することがないので、良好なコントラストの画像が観察される。
【０１１１】
〔表示システムの第３の構成（照明装置の構成）〕
さらに、この表示システムにおいては、照明装置６として、照明装置を用いて、すなわち、照明装置６の蛍光ランプ、ハロゲンランプ等の光源部から発せられた照明光６ａを直線偏光状態とする吸収板７として「Ｅ型偏光板」を用いて、構成することができる。
【０１１２】
すなわち、この照明装置においては、偏光方向が反射型スクリーンにおいて反射されない方向である直線偏光状態の光のみが外方側に放射される。なお、この照明装置は、光源部を覆うランプカバーを「Ｅ型偏光板」によって構成したり、または、通常のランプカバーの外面部を「Ｅ型偏光板」によって構成してもよい。
【０１１３】
この照明装置を用いた表示システムにおいては、「Ｅ型偏光板」である吸収板７を透過した照明光は、図２５に示すように、反射型スクリーン４の「Ｅ型偏光板」からなる吸収層２に入射するとき、この「Ｅ型偏光板」からなる吸収層２において吸収される偏光方向となっているので、この「Ｅ型偏光板」からなる吸収層２により効率良く吸収される。そして、この表示システムにおいては、「Ｅ型偏光板」である吸収板７に斜めから入射して透過した照明光についても、図２６に示すように、「Ｅ型偏光板」の光吸収方向が一平面内のあらゆる方向であるために、偏光方向が反射型スクリーン４の「Ｅ型偏光板」からなる吸収層２の光吸収軸方向と略々同じ方向となるために、この「Ｅ型偏光板」からなる吸収層２において効率良く吸収される。
【０１１４】
〔表示システムの第４の構成〕
また、この表示システムは、照明装置６として、「Ｅ型偏光板」である吸収板７を有する照明装置を用い、反射型スクリーンとして「Ｏ型偏光板」からなる吸収層２を備えた反射型スクリーンを用いて構成することができる。
【０１１５】
この照明装置を用いた表示システムにおいては、「Ｅ型偏光板」である吸収板７を透過した照明光は、図２７に示すように、反射型スクリーン４の「Ｏ型偏光板」からなる吸収層２に入射するとき、この「Ｏ型偏光板」からなる吸収層２において吸収される偏光方向となっているので、この「Ｏ型偏光板」からなる吸収層２により効率良く吸収される。そして、この表示システムにおいては、「Ｅ型偏光板」である吸収板７に斜めから入射して透過した照明光についても、図２８に示すように、「Ｅ型偏光板」の光吸収方向が一平面内のあらゆる方向であるために、偏光方向が反射型スクリーン４の「Ｏ型偏光板」からなる吸収層２の光吸収軸方向と略々同じ方向となるために、この「Ｏ型偏光板」からなる吸収層２において効率良く吸収される。
【０１１６】
〔表示システムの第５の構成〕
また、図２０に示す室内３０には、窓に対していわゆるブラインドカーテンとして、「Ｅ型偏光板」である吸収板３１を取り付けている。
【０１１７】
したがって、窓から室内３０に進入しようとする外光は、「Ｅ型偏光板」である吸収板３１によって、直線偏光状態の光のみとなって、室内３０に入ってくることになる。そして、「Ｅ型偏光板」である吸収板３１を介してこの室内３０に進入してきた光が反射型スクリーン４に到達しても、この反射型スクリーン４の「Ｅ型偏光板」からなる吸収層２を透過することなく吸収されるようになっている。このようにして、「Ｅ型偏光板」である吸収板３１を窓に取り付けることによって、外光による表示画像のコントラスト低下を防止することができる。
【０１１８】
また、この表示システムにおいては、例えば壁面３２を利用することによっても外光による表示画像のコントラスト低下の防止を図ることができる。
【０１１９】
すなわち、壁面３２に対して、反射型スクリーン４の「Ｅ型偏光板」からなる吸収層２とは異なる透過軸方向の「Ｅ型偏光板」を設ける。また、壁面部材に光の吸収作用を与えるか、部材裏面に吸収層を設ける。これにより、壁面３２に到達した光のうち、一方向の直線偏光状態の他の光成分は反射されずに吸収されることになる。一方、壁面３２にて反射される光は、反射型スクリーン４の「Ｅ型偏光板」からなる吸収層２を透過する偏光方向と異なる方向の直線偏光状態の光であるから、反射型スクリーン４に到達しても、ここで反射されることなく吸収されることになる。
【０１２０】
なお、壁面３２に限られることなく、例えば天井面３３や床面３４にも同様の作用が得られる処理を施してもよい。すなわち、この表示システムとしては、室内面における何れの面についても、壁面３２と同様の処理を行ってよい。さらには、室内面だけではなく、反射光が反射型スクリーン４に達する位置に配置された家具等、室内の各種設置物の表面においても、同様の処理を施すことにより、外光による表示画像のコントラスト低下を防止することができる。
【０１２１】
〔照明装置の他の構成〕
ところで、前面投射型表示装置５の光源には、上述のように、超高圧水銀ランプ（ＵＨＰランプ）や、メタルハライドランプ等の放電ランプが用いられるのが一般的である。このような放電ランプからの放射光には、色分離、照明の過程で有効に使われない光成分が含まれており、前面投射型表示装置５を構成する箇体等の部材で吸収される。
【０１２２】
そこで、この照明装置としては、このような画像表示にとって不要な光成分を吸収してしまうのではなく、室内の照明光として利用することを提案する。すなわち、前面投射型表示装置５から、この不要光が照明光として外部に拡散出射されるようにするものである。これは、前面投射型表示装置５を照明装置としても兼用させることを意味している。
【０１２３】
このような照明装置を構成するには、例えば、前面投射型表示装置５内にて、画像表示には使用されない帯域の不要光が筐体を透して外部に出射されるようにする。そのうえで、筐体の外装部分に拡散材を用いて、内部からの光が外部に拡散して出射されるようにする。そして、このように前面投射型表示装置５の外部に拡散して出射された照明光を、「Ｅ型偏光板」、「Ｏ型偏光板」、または、「コレステリック液晶層」を透過させることにより、この照明光の偏光方向を、反射型スクリーン４において反射されない偏光方向とすることができる。
【０１２４】
【発明の効果】
上述のように、本発明に係る反射型スクリーンにおいては、吸収層により、投射された光束のうち特定の偏光状態の光のみを選択反射する機能を得ることができると共に、透明層により表面層近くに設けた拡散度の小さな拡散層と反射層との間を離すことで、金属等の表面反射を利用したものとした際のシンチレーションを防止し、コントラストが極めて高い表示画像を提供することができる。
【０１２５】
また、本発明に係る表示システムにおいては、前面投射型表示装置から反射型スクリーンに投射された特定の偏光状態の投射光は、反射型スクリーンにおいて選択反射され、一方、投射光と異なる偏光状態の光成分は、吸収層において吸収され、反射型スクリーンにより反射されない。
【０１２６】
すなわち、本発明は、前面投射型表示装置（フロントプロジェクタ）によって画像表示光を投射される反射型スクリーンにおいて、この反射型スクリーンに到達する外光が明るい環境下であっても、充分に高いコントラストの表示画像が得られるようになされた反射型スクリーンを提供し、また、このような反射型スクリーン及び前面投射型表示装置からなる表示システムを提供することができるものである。
【図面の簡単な説明】
【図１】本発明に係る反射型スクリーンの構成を示す縦断面図である。
【図２】「Ｏ型偏光板」を用いた反射型スクリーンの偏光特性を示す正面図、上面図及び側面図である。
【図３】「Ｅ型偏光板」を用いた反射型スクリーンの偏光特性を示す正面図、上面図及び側面図である。
【図４】反射型スクリーンにおける拡散反射板によるシンチレーションを説明する模式図である。
【図５】反射型スクリーンにおける拡散反射板の前面に拡散層を設けた場合のシンチレーションを説明する模式図である。
【図６】本発明の実施の形態における反射型スクリーンの効果を説明する図であって、拡散反射板及び拡散層の配置を説明する模式図である。
【図７】上記反射型スクリーンの具体的構成を模式的に示す断面図である。
【図８】上記反射型スクリーンの具体的構成の他の例を模式的に示す断面図である。
【図９】上記反射型スクリーンにおける拡散反射板で生じる斑模様のコントラストと表示画像の解像度との関係を示すグラフである。
【図１０】上記反射型スクリーンにおいて、透明層を拡散層として構成したものを示す縦断面図である。
【図１１】上記反射型スクリーンにおいて、透明層の最表面部を拡散面として構成したものを示す縦断面図である。
【図１２】上記反射型スクリーンを構成する「Ｏ型偏光板」の特性を示すグラフである。
【図１３】上記反射型スクリーンを構成する「Ｅ型偏光板」の特性を示すグラフである。
【図１４】上記「Ｅ型偏光板」の分子構造を示す斜視図である。
【図１５】「Ｅ型偏光板」を透過する自然光の振幅がどのような角度依存性を持つかを表す図であって、（ａ）は、透過軸方向を反射型スクリーンの上下方向Ｙとした場合の「Ｅ型偏光板」層を示す模式図、（ｂ）及び（ｃ）は、夫々スクリーンの左右方向（水平方向）Ｘの角度及びスクリーンの上下方向（垂直方向）Ｙの角度をとり、縦軸に透過率をとって、「Ｅ型偏光板」を透過する自然光の角度依存性を示すグラフである。
【図１６】（ａ）は、透過軸方向を反射型スクリーンの縦軸方向Ｙとした場合の「Ｏ型偏光板」層を示す模式図、（ｂ）及び（ｃ）は、夫々スクリーンの左右方向Ｘの角度及びスクリーンの上下方向Ｙの角度をとり、縦軸に透過率をとって、「Ｏ型偏光板」を透過する自然光の角度依存性を示すグラフである。
【図１７】（ａ）及び（ｂ）は、光散乱の性質が金属反射的だった場合に、吸収層を夫々「Ｅ型偏光板」層及び「Ｏ型偏光板」層とした場合の正面方向への光散乱の大きさを示す模式図である。
【図１８】（ａ）及び（ｂ）は、光散乱の性質が再帰反射的だった場合に、吸収層を夫々「Ｅ型偏光板」層及び「Ｏ型偏光板」層とした場合の正面方向への光散乱の大きさを示す模式図である。
【図１９】本発明に係る表示システムを構成する前面投射型表示装置の構成の一例を示す平面図である。
【図２０】上記表示システムの構成を示す側面図である。
【図２１】「Ｏ型偏光板」を用いた反射型スクリーンにおいて「Ｏ型偏光板」による直線偏光状態の光が入射された状態を示す正面図である。
【図２２】「Ｏ型偏光板」を用いた反射型スクリーンにおいて「Ｏ型偏光板」による直線偏光状態の光が入射された状態を示す斜視図である。
【図２３】「Ｅ型偏光板」を用いた反射型スクリーンにおいて「Ｏ型偏光板」による直線偏光状態の光が入射された状態を示す正面図である。
【図２４】「Ｅ型偏光板」を用いた反射型スクリーンにおいて「Ｏ型偏光板」による直線偏光状態の光が入射された状態を示す斜視図である。
【図２５】「Ｅ型偏光板」を用いた反射型スクリーンにおいて「Ｅ型偏光板」による直線偏光状態の光が入射された状態を示す正面図である。
【図２６】「Ｅ型偏光板」を用いた反射型スクリーンにおいて「Ｅ型偏光板」による直線偏光状態の光が入射された状態を示す斜視図である。
【図２７】「Ｏ型偏光板」を用いた反射型スクリーンにおいて「Ｅ型偏光板」を用いた照明装置による直線偏光状態の光が入射された状態を示す正面図である。
【図２８】「Ｏ型偏光板」を用いた反射型スクリーンにおいて「Ｅ型偏光板」を用いた照明装置による直線偏光状態の光が入射された状態を示す斜視図である。
【図２９】従来の反射型スクリーンにおける紙等における拡散反射の様子を示す縦断面図である。
【図３０】従来の反射型スクリーンにおける金属表面における拡散反射の様子を示す縦断面図である。
【符号の説明】
１  透明層、２  吸収層、３、拡散反射板、４  反射型スクリーン、５  前面投射型表示装置、６  照明装置、７  吸収板、４０Ａ〜４０Ｃ  反射型スクリーン、４１ａ  表面層ＡＧ層、４１ｂ  拡散層、４１ｃ  透明層、４２  偏光吸収層、４３  拡散反射板、６０  観測者
【図１】
2004287377.tif 000007
【図２】
2004287377.tif 000008
【図３】
2004287377.tif 000009
【図４】
2004287377.tif 000010
【図５】
2004287377.tif 000011
【図６】
2004287377.tif 000012
【図７】
2004287377.tif 000013
【図８】
2004287377.tif 000014
【図９】
2004287377.tif 000015
【図１０】
2004287377.tif 000016
【図１１】
2004287377.tif 000017
【図１２】
2004287377.tif 000018
【図１３】
2004287377.tif 000019
【図１４】
2004287377.tif 000020
【図１５】
2004287377.tif 000021
【図１６】
2004287377.tif 000022
【図１７】
2004287377.tif 000023
【図１８】
2004287377.tif 000024
【図１９】
2004287377.tif 000025
【図２０】
2004287377.tif 000026
【図２１】
2004287377.tif 000027
【図２２】
2004287377.tif 000028
【図２３】
2004287377.tif 000029
【図２４】
2004287377.tif 000030
【図２５】
2004287377.tif 000031
【図２６】
2004287377.tif 000032
【図２７】
2004287377.tif 000033
【図２８】
2004287377.tif 000034
【図２９】
2004287377.tif 000035
【図３０】
2004287377.tif 000036